(57)【要約】【課題】地図に対する移動や拡大／縮小操作によって、並べて表示すべき分割地図画像の枚数が多くなっても、表示負荷が無用に大きくならないようにする表示装置等を提供する。【解決手段】表示装置は、１つの地図画像をタイル状に並べることができるように矩形状に分割した複数の分割地図画像を、ディスプレイの表示範囲に並べて表示する。そして、表示装置は、ディスプレイの表示範囲に並べて表示すべき複数の分割地図画像を選択する分割地図画像選択手段と、選択された各分割地図画像について、表示範囲に対する表示割合が所定割合以下か否かを判定する表示判定手段と、表示判定手段によって真と判定された１つ以上の当該分割地図画像を、ディスプレイの表示範囲に表示しないように制御する表示制御手段とを有する。【選択図】図３
2014240916.tif 000002
【特許請求の範囲】
【請求項１】
１つの地図画像をタイル状に並べることができるように矩形状に分割した複数の分割地図画像を、ディスプレイの表示範囲に並べて表示する表示装置において、
前記ディスプレイの表示範囲に並べて表示すべき複数の分割地図画像を選択する分割地図画像選択手段と、
選択された各分割地図画像について、前記表示範囲に対する表示割合が所定割合以下か否かを判定する表示判定手段と、
前記表示判定手段によって真と判定された１つ以上の当該分割地図画像を、前記ディスプレイの表示範囲に表示しないように制御する表示制御手段と
を有することを特徴とする表示装置。
【請求項２】
１つの地図画像をタイル状に並べることができるように矩形状に分割した複数の分割地図画像を、ディスプレイの表示範囲に並べて表示する表示装置において、
前記ディスプレイの表示範囲に並べて表示すべき複数の分割地図画像を選択する分割地図画像選択手段と、
選択された複数の分割地図画像を、前記表示範囲に対する表示割合が高いものから順にその表示割合を加算し、その加算表示割合が所定割合以上か否かを判定する表示判定手段と、
前記表示判定手段によって真と判定された１つ以上の当該分割地図画像を、前記ディスプレイの表示範囲に表示しないように制御する表示制御手段と
を有することを特徴とする表示装置。
【請求項３】
１つの地図画像をタイル状に並べることができるように矩形状に分割した複数の分割地図画像を、ディスプレイの表示範囲に並べて表示する表示装置において、
前記ディスプレイの表示範囲に並べて表示すべき複数の分割地図画像を選択する分割地図画像選択手段と、
選択された複数の分割地図画像を、前記表示範囲の中心から近い順にその表示割合を加算し、その加算表示割合が所定割合以上か否かを判定する表示判定手段と、
前記表示判定手段によって真と判定された１つ以上の当該分割地図画像を、前記ディスプレイの表示範囲に表示しないように制御する表示制御手段と
を有することを特徴とする表示装置。
【請求項４】
情報量がほぼ同一となるように分割された複数の分割地図画像を蓄積する分割地図画像蓄積手段を有し、
前記表示制御手段は、表示すべき分割地図画像のみを、前記分割地図画像蓄積手段から取得する
ことを特徴とする請求項１から３のいずれか１項に記載の表示装置。
【請求項５】
情報量がほぼ同一となるように分割された複数の分割地図画像を蓄積する地図サーバと通信可能であって、
前記表示制御手段は、表示すべき分割地図画像のみについて、前記地図サーバへ取得要求を送信し、その分割地図画像を受信する
ことを特徴とする請求項１から３のいずれか１項に記載の表示装置。
【請求項６】
前記分割地図画像は、同一の地図範囲に対して階層状に複数の分割地図画像から構成されており、
前記分割地図画像選択手段は、全ての階層における複数の分割地図画像を選択し、
前記表示判定手段は、全ての階層における分割地図画像を合わせて判定し、
前記表示制御手段は、異なる階層の分割地図画像を重畳して表示するように制御することを特徴とする請求項１から５のいずれか１項に記載の表示装置。
【請求項７】
１つの地図画像をタイル状に並べることができるように矩形状に分割した複数の分割地図画像を、ディスプレイの表示範囲に並べて表示する装置に搭載されたコンピュータを機能させるプログラムにおいて、
前記ディスプレイの表示範囲に並べて表示すべき複数の分割地図画像を選択する分割地図画像選択手段と、
選択された各分割地図画像について、前記表示範囲に対する表示割合が所定割合以下か否かを判定する表示判定手段と、
前記表示判定手段によって真と判定された１つ以上の当該分割地図画像を、前記ディスプレイの表示範囲に表示しないように制御する表示制御手段と
してコンピュータを機能させることを特徴とするプログラム。
【請求項８】
１つの地図画像をタイル状に並べることができるように矩形状に分割した複数の分割地図画像を、ディスプレイの表示範囲に並べて表示する装置に搭載されたコンピュータを機能させるプログラムにおいて、
前記ディスプレイの表示範囲に並べて表示すべき複数の分割地図画像を選択する分割地図画像選択手段と、
選択された複数の分割地図画像を、前記表示範囲に対する表示割合が高いものから順にその表示割合を加算し、その加算表示割合が所定割合以上か否かを判定する表示判定手段と、
前記表示判定手段によって真と判定された１つ以上の当該分割地図画像を、前記ディスプレイの表示範囲に表示しないように制御する表示制御手段と
してコンピュータを機能させることを特徴とするプログラム。
【請求項９】
１つの地図画像をタイル状に並べることができるように矩形状に分割した複数の分割地図画像を、ディスプレイの表示範囲に並べて表示する装置に搭載されたコンピュータを機能させるプログラムにおいて、
前記ディスプレイの表示範囲に並べて表示すべき複数の分割地図画像を選択する分割地図画像選択手段と、
選択された複数の分割地図画像を、前記表示範囲の中心から近い順にその表示割合を加算し、その加算表示割合が所定割合以上か否かを判定する表示判定手段と、
前記表示判定手段によって真と判定された１つ以上の当該分割地図画像を、前記ディスプレイの表示範囲に表示しないように制御する表示制御手段と
してコンピュータを機能させることを特徴とするプログラム。
【請求項１０】
１つの地図画像をタイル状に並べることができるように矩形状に分割した複数の分割地図画像を、ディスプレイの表示範囲に並べて表示する装置を用いた表示方法において、
前記ディスプレイの表示範囲に並べて表示すべき複数の分割地図画像を選択する第１のステップと、
選択された各分割地図画像について、前記表示範囲に対する表示割合が所定割合以下か否かを判定する第２のステップと、
前記表示判定手段によって真と判定された１つ以上の当該分割地図画像を、前記ディスプレイの表示範囲に表示しないように制御する第３のステップと
を有することを特徴とする表示方法。
【請求項１１】
１つの地図画像をタイル状に並べることができるように矩形状に分割した複数の分割地図画像を、ディスプレイの表示範囲に並べて表示する装置を用いた表示方法において、
前記ディスプレイの表示範囲に並べて表示すべき複数の分割地図画像を選択する第１のステップと、
選択された複数の分割地図画像を、前記表示範囲に対する表示割合が高いものから順にその表示割合を加算し、その加算表示割合が所定割合以上か否かを判定する第２のステップと、
前記表示判定手段によって真と判定された１つ以上の当該分割地図画像を、前記ディスプレイの表示範囲に表示しないように制御する第３のステップと
を有することを特徴とする表示方法。
【請求項１２】
１つの地図画像をタイル状に並べることができるように矩形状に分割した複数の分割地図画像を、ディスプレイの表示範囲に並べて表示する装置を用いた表示方法において、
前記ディスプレイの表示範囲に並べて表示すべき複数の分割地図画像を選択する第１のステップと、
選択された複数の分割地図画像を、前記表示範囲の中心から近い順にその表示割合を加算し、その加算表示割合が所定割合以上か否かを判定する第２のステップと、
前記表示判定手段によって真と判定された１つ以上の当該分割地図画像を、前記ディスプレイの表示範囲に表示しないように制御する第３のステップと
を有することを特徴とする表示方法。
【発明の詳細な説明】
【技術分野】
【０００１】
本発明は、複数の分割地図画像を並べてディスプレイに表示する表示装置の技術に関する。
【背景技術】
【０００２】
インターネット等の広域ネットワークには、地図サーバが接続されており、地図サーバは、背景地図や対象物が描画された地図画像を蓄積している。端末は、地図サーバから地図画像を受信し、ディスプレイに表示することができる。特に、近年では一般的に、スマートフォンのような端末が、地図サーバから地図画像を受信し且つディスプレイに表示することができる。
【０００３】
通常、地図サーバは、一定の規則に基づいて地図画像を分割して蓄積している。分割地図画像は、タイル状（メッシュ状）に並べることができる一定領域の矩形状に分割したものである。分割地図画像には、インデックス（識別子）が付与されている。地図サーバは、分割地図画像のインデックスを管理することによって、分割地図画像同士の間の位置関係を管理することができる。
【０００４】
一方、緯度経度等の座標で一定領域に等分割した分割地図画像においては、１枚毎の情報量は、全て同じではない。即ち、分割地図画像の表示範囲は同一であっても、表示している場所によっては、その分割地図画像の情報量は異なる。地図画像を表示する端末のメモリの制約から１枚の分割地図画像の情報量に上限を設定すると、分割地図画像の表示範囲を狭くしなければならず、分割地図画像の数が増加する。また、分割地図画像の数の増加に伴って、分割地図画像を管理するインデックスの数が増加し、更に個々の分割地図画像のヘッダ・フッタ数も増加する。
【０００５】
これに対し、全ての分割地図画像の情報量をほぼ同一とすると共に、異なる表示範囲の分割地図画像を生成する技術がある（例えば特許文献１及び特許文献２）。これらの技術によれば、小さい情報量の分割地図画像が大量に生成されることを防ぎ、地図サーバの管理コストを低減させることができる。
【先行技術文献】
【特許文献】
【０００６】
【特許文献１】特開２００３−２５４７６２号公報
【特許文献２】特開２００９−５８８６１号公報
【発明の概要】
【発明が解決しようとする課題】
【０００７】
しかしながら、特に特許文献２に記載の技術によれば、全ての分割地図画像について情報量がほぼ同一となるものの、ディスプレイに並べて表示される際に必要な情報量の合計はほぼ同一とならない。広い表示範囲の分割地図画像が並ぶ地域の地図情報を表示する場合、分割地図画像の数は少ないために、速やかに表示される。一方で、狭い表示範囲の分割地図画像が並ぶ地域の地図情報を表示する場合、分割地図画像の数は多いために、表示されるまでに時間を要する。また、同じ地域であっても、狭い表示範囲の地図情報を表示する場合、分割地図画像の数は少ないために、速やかに表示される。一方で、広い表示範囲の地図情報を表示する場合、分割地図画像の数は多いために、表示されるまでに時間を要する。即ち、地図画像に対するユーザの移動や拡大／縮小操作によって、端末における分割地図画像の表示負荷が異なるという課題がある。
【０００８】
そこで、本発明は、地図に対する移動や拡大／縮小操作によって、並べて表示すべき分割地図画像の枚数が多くなっても、表示負荷が無用に大きくならないようにする表示装置、方法及びプログラムを提供することを目的とする。
【課題を解決するための手段】
【０００９】
本発明によれば、１つの地図画像をタイル状に並べることができるように矩形状に分割した複数の分割地図画像を、ディスプレイの表示範囲に並べて表示する表示装置において、
ディスプレイの表示範囲に並べて表示すべき複数の分割地図画像を選択する分割地図画像選択手段と、
選択された各分割地図画像について、表示範囲に対する表示割合が所定割合以下か否かを判定する表示判定手段と、
表示判定手段によって真と判定された１つ以上の当該分割地図画像を、ディスプレイの表示範囲に表示しないように制御する表示制御手段と
を有することを特徴とする。
【００１０】
本発明によれば、１つの地図画像をタイル状に並べることができるように矩形状に分割した複数の分割地図画像を、ディスプレイの表示範囲に並べて表示する表示装置において、
ディスプレイの表示範囲に並べて表示すべき複数の分割地図画像を選択する分割地図画像選択手段と、
選択された複数の分割地図画像を、表示範囲に対する表示割合が高いものから順にその表示割合を加算し、その加算表示割合が所定割合以上か否かを判定する表示判定手段と、
表示判定手段によって真と判定された１つ以上の当該分割地図画像を、ディスプレイの表示範囲に表示しないように制御する表示制御手段と
を有することを特徴とする。
【００１１】
本発明によれば、１つの地図画像をタイル状に並べることができるように矩形状に分割した複数の分割地図画像を、ディスプレイの表示範囲に並べて表示する表示装置において、
ディスプレイの表示範囲に並べて表示すべき複数の分割地図画像を選択する分割地図画像選択手段と、
選択された複数の分割地図画像を、表示範囲の中心から近い順にその表示割合を加算し、その加算表示割合が所定割合以上か否かを判定する表示判定手段と、
表示判定手段によって真と判定された１つ以上の当該分割地図画像を、ディスプレイの表示範囲に表示しないように制御する表示制御手段と
を有することを特徴とする。
【００１２】
本発明の表示装置における他の実施形態によれば、
情報量がほぼ同一となるように分割された複数の分割地図画像を蓄積する分割地図画像蓄積手段を有し、
表示制御手段は、表示すべき分割地図画像のみを、分割地図画像蓄積手段から取得することも好ましい。
【００１３】
本発明の表示装置における他の実施形態によれば、
情報量がほぼ同一となるように分割された複数の分割地図画像を蓄積する地図サーバと通信可能であって、
表示制御手段は、表示すべき分割地図画像のみについて、地図サーバへ取得要求を送信し、その分割地図画像を受信することも好ましい。
【００１４】
本発明の表示装置における他の実施形態によれば、
分割地図画像は、同一の地図範囲に対して階層状に複数の分割地図画像から構成されており、
分割地図画像選択手段は、全ての階層における複数の分割地図画像を選択し、
表示判定手段は、全ての階層における分割地図画像を合わせて判定し、
表示制御手段は、異なる階層の分割地図画像を重畳して表示するように制御する
ことも好ましい。
【００１５】
本発明によれば、１つの地図画像をタイル状に並べることができるように矩形状に分割した複数の分割地図画像を、ディスプレイの表示範囲に並べて表示する装置に搭載されたコンピュータを機能させるプログラムにおいて、
ディスプレイの表示範囲に並べて表示すべき複数の分割地図画像を選択する分割地図画像選択手段と、
選択された各分割地図画像について、表示範囲に対する表示割合が所定割合以下か否かを判定する表示判定手段と、
表示判定手段によって真と判定された１つ以上の当該分割地図画像を、ディスプレイの表示範囲に表示しないように制御する表示制御手段と
してコンピュータを機能させることを特徴とする。
【００１６】
本発明によれば、１つの地図画像をタイル状に並べることができるように矩形状に分割した複数の分割地図画像を、ディスプレイの表示範囲に並べて表示する装置に搭載されたコンピュータを機能させるプログラムにおいて、
ディスプレイの表示範囲に並べて表示すべき複数の分割地図画像を選択する分割地図画像選択手段と、
選択された複数の分割地図画像を、表示範囲に対する表示割合が高いものから順にその表示割合を加算し、その加算表示割合が所定割合以上か否かを判定する表示判定手段と、
表示判定手段によって真と判定された１つ以上の当該分割地図画像を、ディスプレイの表示範囲に表示しないように制御する表示制御手段と
してコンピュータを機能させることを特徴とする。
【００１７】
本発明によれば、１つの地図画像をタイル状に並べることができるように矩形状に分割した複数の分割地図画像を、ディスプレイの表示範囲に並べて表示する装置に搭載されたコンピュータを機能させるプログラムにおいて、
ディスプレイの表示範囲に並べて表示すべき複数の分割地図画像を選択する分割地図画像選択手段と、
選択された複数の分割地図画像を、表示範囲の中心から近い順にその表示割合を加算し、その加算表示割合が所定割合以上か否かを判定する表示判定手段と、
表示判定手段によって真と判定された１つ以上の当該分割地図画像を、ディスプレイの表示範囲に表示しないように制御する表示制御手段と
してコンピュータを機能させることを特徴とする。
【００１８】
本発明によれば、１つの地図画像をタイル状に並べることができるように矩形状に分割した複数の分割地図画像を、ディスプレイの表示範囲に並べて表示する装置を用いた表示方法において、
ディスプレイの表示範囲に並べて表示すべき複数の分割地図画像を選択する第１のステップと、
選択された各分割地図画像について、表示範囲に対する表示割合が所定割合以下か否かを判定する第２のステップと、
表示判定手段によって真と判定された１つ以上の当該分割地図画像を、ディスプレイの表示範囲に表示しないように制御する第３のステップと
を有することを特徴とする。
【００１９】
本発明によれば、１つの地図画像をタイル状に並べることができるように矩形状に分割した複数の分割地図画像を、ディスプレイの表示範囲に並べて表示する装置を用いた表示方法において、
ディスプレイの表示範囲に並べて表示すべき複数の分割地図画像を選択する第１のステップと、
選択された複数の分割地図画像を、表示範囲に対する表示割合が高いものから順にその表示割合を加算し、その加算表示割合が所定割合以上か否かを判定する第２のステップと、
表示判定手段によって真と判定された１つ以上の当該分割地図画像を、ディスプレイの表示範囲に表示しないように制御する第３のステップと
を有することを特徴とする。
【００２０】
本発明によれば、１つの地図画像をタイル状に並べることができるように矩形状に分割した複数の分割地図画像を、ディスプレイの表示範囲に並べて表示する装置を用いた表示方法において、
ディスプレイの表示範囲に並べて表示すべき複数の分割地図画像を選択する第１のステップと、
選択された複数の分割地図画像を、表示範囲の中心から近い順にその表示割合を加算し、その加算表示割合が所定割合以上か否かを判定する第２のステップと、
表示判定手段によって真と判定された１つ以上の当該分割地図画像を、ディスプレイの表示範囲に表示しないように制御する第３のステップと
を有することを特徴とする。
【発明の効果】
【００２１】
本発明の表示装置、方法及びプログラムによれば、地図に対する移動や拡大／縮小操作によって、並べて表示すべき分割地図画像の枚数が多くなっても、表示負荷が無用に大きくならないようにすることができる。
【図面の簡単な説明】
【００２２】
【図１】日本地図を分割した分割地図画像の区分図である。
【図２】分割地図画像の表示割合を表す説明図である。
【図３】本発明の第１の実施形態における分割地図画像の表示を表す説明図である。
【図４】本発明の第２の実施形態における分割地図画像の表示を表す説明図である。
【図５】本発明の第３の実施形態における分割地図画像の表示を表す説明図である。
【図６】本発明における表示装置の機能構成図である。
【図７】本発明における端末と地図サーバとの間のシーケンス図である。
【図８】階層状に構成された分割地図画像を表す説明図である。
【発明を実施するための形態】
【００２３】
以下、本発明の実施の形態について、図面を用いて詳細に説明する。
【００２４】
図１は、日本地図を分割した分割地図画像の区分図である。
【００２５】
図１によれば、１枚の日本地図を、最初に１／４に段階的に等分割している。ここで、分割地図画像３については、ほとんど海上領域しか表していない。分割地図画像３の情報量が所定閾値（例えば１００Ｋバイト）以下である場合、当該分割地図画像３はそれ以上に分割しない。分割地図画像３のように広い領域で且つ小さい情報量の分割地図画像は、そのまま１枚の分割地図画像として管理する。
【００２６】
また、各分割地図画像には、その位置に応じて、左上から時計回り順に、識別番号が付与される。また、その識別番号は、大きい分割地図画像から順に、階層的に付与される。勿論、各分割地図画像の四辺を示す座標値を、管理情報として直接的に蓄積しているものであってもよい。
【００２７】
次に、所定閾値よりも大きい分割地図画像１、２及び４をそれぞれ、更に１／４に等分割する。ここで、分割地図画像１−１〜４、２−１〜４、４−１〜４の各々について、その情報量が所定閾値以下であるか否かを判定する。その情報量が所定閾値以下である分割地図画像１−１〜２、２−２〜３、４−２〜４は、それ以上に分割しない。このように再帰的に処理を実行することによって、最終的には、全ての分割地図画像について情報量をほぼ同一とすることができる（例えば特許文献２参照）。図１によれば、最終的な区分された分割地図画像が表されている。
【００２８】
図１によれば、表示装置のディスプレイ上における表示範囲が表されている。ここでは、異なる位置に２つの表示範囲が表されている。
表示範囲１は、６枚の分割地図画像からなる。各分割地図画像のデータ量（情報量）を１００Ｋバイトとすると、合計値は６００Ｋバイトとなる。
表示範囲２は、１８枚の分割地図画像からなる。各分割地図画像のデータ量を１００Ｋバイトとすると、合計値は１．８Ｍバイトとなる。
このように、分割地図画像のデータ量をほぼ同じになるように分割した場合であっても、表示の際に必要となるデータ量は大きく異なる。
【００２９】
図２は、分割地図画像の表示割合を表す説明図である。
【００３０】
図２によれば、ディスプレイの表示範囲に、５枚の分割地図画像が表示されている。このとき、各分割地図画像の表示割合は、以下のようになっている。
分割地図画像１    ：  ３８．９％
分割地図画像２−１：  ２０．８％
分割地図画像２−４：  ２７．８％
分割地図画像３−１：    ６．９％
分割地図画像４−２：    ５．６％
このように、１０％以下の表示割合しか占めない分割地図画像３−１及び４−２であっても、４０％近くの表示割合の分割地図画像１と同じデータ量を要する。しかしながら、表示割合が１０％以下となる分割地図画像３−１及び４−２は、ユーザの視点から、地図を認識するためにそれほど重要ではない。
【００３１】
そこで、本発明によれば、表示割合に応じて、分割地図画像の表示／非表示を制御する。具体的には、以下のような３つの実施形態がある。
第１の実施形態［各分割地図画像について表示割合に応じた表示制御］
第２の実施形態［表示割合の広い分割地図画像の順に、加算表示割合に応じた表示制御］
第３の実施形態［中心に近い分割地図画像の順に、加算表示割合に応じた表示制御］
【００３２】
＜第１の実施形態＞
［各分割地図画像について表示割合に応じた表示制御］
図３は、本発明の第１の実施形態における分割地図画像の表示を表す説明図である。
【００３３】
図３によれば、図２と比較して、所定の表示判定閾値以下となる分割地図画像を表示しないように制御する。図３によれば、表示／非表示を切り替える表示判定閾値を、例えば１０％としている。このとき、表示判定閾値１０％以下の分割地図画像が「非表示」とされ、それよりも大きい分割地図画像のみが「表示」とされる。
［表示］  分割地図画像１    ：  ３８．９％
［表示］  分割地図画像２−１：  ２０．８％
［表示］  分割地図画像２−４：  ２７．８％
［非表示］分割地図画像３−１：    ６．９％
［非表示］分割地図画像４−２：    ５．６％
【００３４】
一方で、例えば表示判定閾値＝３０％とすることもできるが、逆に表示すべき分割地図画像が少なくなり、地図の閲覧の観点からは好ましくない。
［表示］  分割地図画像１    ：  ３８．９％
［非表示］分割地図画像２−１：  ２０．８％
［非表示］分割地図画像２−４：  ２７．８％
［非表示］分割地図画像３−１：    ６．９％
［非表示］分割地図画像４−２：    ５．６％
【００３５】
一般に、１つの表示判定閾値を設定することによって、同時に表示される分割地図画像の上限数が決定される。例えば以下のようになる。
表示判定閾値１０％  ：  分割地図画像の上限数１０枚
表示判定閾値２０％  ：  分割地図画像の上限数  ５枚
【００３６】
従って、以下の条件を満たすように、「表示判定閾値」、即ち、「同時に表示される分割地図画像の上限数」を決定することによって、表示装置の表示パフォーマンスを低下させないように表示させることができる。
分割地図画像１枚あたりのデータ量×同時に表示される分割地図画像の上限数
≦  端末の表示パフォーマンスが悪くならないデータ量の上限
【００３７】
＜第２の実施形態＞
［表示割合の広い分割地図画像の順に、加算表示割合に応じた表示制御］
図４は、本発明の第２の実施形態における分割地図画像の表示を表す説明図である。
【００３８】
第１の実施形態のように各分割地図画像の表示割合で判定すると、ディスプレイの表示範囲に表示される分割地図画像の枚数が多くなるほど、１枚の分割地図画像の表示割合が小さくなり、結果的に、表示判定閾値によっては表示されにくくなる。
【００３９】
そこで、第２の実施形態によれば、複数の分割地図画像を、表示範囲に対する表示割合の高いものから順に表示していき、その加算表示割合が例えば表示判定閾値以上か否かによって判定する。例えば表示判定閾値＝８０％とすると、例えば以下のように判定される。
［表示］  分割地図画像１    ：  ３８．９％  （加算表示割合３８．９％）
［表示］  分割地図画像２−４：  ２７．８％※（加算表示割合６６．７％）
［非表示］分割地図画像２−１：  ２０．８％  （加算表示割合８７．５％）
［非表示］分割地図画像３−１：    ６．９％  （加算表示割合９４．４％）
［非表示］分割地図画像４−２：    ５．６％  （加算表示割合  １００％）
【００４０】
また、例えば表示判定閾値＝９０％とすると、以下のように判定される。
［表示］  分割地図画像１    ：  ３８．９％  （加算表示割合３８．９％）
［表示］  分割地図画像２−４：  ２７．８％  （加算表示割合６６．７％）
［表示］  分割地図画像２−１：  ２０．８％※（加算表示割合８７．５％）
［非表示］分割地図画像３−１：    ６．９％  （加算表示割合９４．４％）
［非表示］分割地図画像４−２：    ５．６％  （加算表示割合  １００％）
【００４１】
＜第３の実施形態＞
［中心に近い分割地図画像の順に、加算表示割合に応じた表示制御］
図５は、本発明の第３の実施形態における分割地図画像の表示を表す説明図である。
【００４２】
第１及び第２の実施形態によれば、分割地図画像の表示割合のみで表示を制御するために、表示範囲の中心に近い分割地図画像であるにも拘わらず、表示割合が小さい場合には、表示されにくくなる。
【００４３】
そこで、第３の実施形態によれば、複数の分割地図画像を、表示範囲の中心から近い順にその表示割合を加算し、その加算表示割合が表示判定閾値以上か否かによって判定する。例えば表示判定閾値＝９０％とすると、例えば以下のように判定される。
［表示］  分割地図画像２−４：  ２７．８％  （加算表示割合２７．８％）
［表示］  分割地図画像１    ：  ３８．９％  （加算表示割合６６．７％）
［表示］  分割地図画像２−１：  ２０．８％※（加算表示割合８７．５％）
［非表示］分割地図画像３−１：    ６．９％  （加算表示割合９４．４％）
［非表示］分割地図画像４−２：    ５．６％  （加算表示割合  １００％）
近さ（距離）を算出する方法としては、簡単には、表示範囲の中心座標と、分割地図画像の四辺（画像枠）との間の最も近い距離によって算出できる。分割地図画像の四辺は、インデックス情報の座標点、高さ及び幅の情報から算出できる。
【００４４】
図６は、本発明における表示装置の機能構成図である。
【００４５】
図６によれば、本発明の表示装置１は、少なくともディスプレイを有し、複数の分割地図画像を、ディスプレイの表示範囲に並べて表示するものである。この表示装置１は、一般には、スマートフォンやタブレット端末、パーソナルコンピュータのような端末である。また、そのディスプレイの表示範囲に表示される分割地図画像は、１つの地図画像をタイル状に並べることができるように矩形状に分割したものである（例えば特許文献２参照）。
【００４６】
図６の端末（表示装置）１は、ハードウェアとしてディスプレイ１０１と、オプション的に地図サーバ２とネットワークを介して通信可能な通信インタフェース１０２とを有する。また、端末１は、分割地図画像選択部１１１と、表示判定部１１２と、表示制御部１１３と、分割地図画像蓄積部１２１と、リクエスト送信部１２２と、レスポンス受信部１２３とを有する。これら機能構成部は、端末のような装置に搭載されたコンピュータを機能させるプログラムを実行することによって実現される。また、これら機能構成部の処理の流れは、装置を用いた表示方法としても理解できる。
【００４７】
分割地図画像選択部１１１は、ディスプレイ１０１の表示範囲に並べて表示すべき複数の分割地図画像を選択する。分割地図画像選択部１１１は、例えば図１のような分割地図画像のインデックス情報をのみ予め保持している。分割地図画像毎に設定されるインデックス情報は、少なくとも１点の座標点（緯度・経度）と、その座標点を左上とした高さ及び幅とを有する。これらインデックス情報は、通信インタフェース１０２を介して、地図サーバ２から予め受信して記憶したものであってもよい。分割地図画像選択部１１１は、これらインデックス情報を用いて、ディスプレイ１０１の表示範囲に並べるべき分割地図画像を選択する。
【００４８】
表示判定部１１２は、前述した３つの実施形態に応じて判定する。
（１）選択された各分割地図画像について、表示範囲に対する表示割合が所定割合（表示判定閾値）以下か否かを判定する（前述した図３参照）。
（２）選択された複数の分割地図画像を、表示範囲に対する表示割合が高いものから順にその表示割合を加算し、その加算表示割合が所定割合以上か否かを判定する（前述した図４参照）。
（３）選択された複数の分割地図画像を、表示範囲の中心から近い順にその表示割合を加算し、その加算表示割合が所定割合以上か否かを判定する（前述した図５参照）。
【００４９】
表示制御部１１３は、表示判定部１１２によって真と判定された１つ以上の当該分割地図画像を、ディスプレイ１０１の表示範囲に表示しないように制御する。表示制御部１１３は、実際に表示すべき分割地図画像のみを、分割地図画像蓄積部１２１から、又は、リクエスト送信部１２２及びレスポンス受信部１２３から取得する。それら分割地図画像は、ディスプレイ１０１の表示範囲に並べて表示される。
【００５０】
分割地図画像蓄積部１２１は、情報量がほぼ同一となるように分割された複数の分割地図画像を蓄積する（例えば特許文献２参照）。
【００５１】
リクエスト送信部１２２は、表示制御部１１３から指示された分割地図画像の取得要求を、通信インタフェース１０２を介して地図サーバ２へ送信する。
【００５２】
レスポンス受信部１２３は、分割地図画像を含む取得応答を、地図サーバ２から通信インタフェース１０２を介して受信する。受信した分割地図画像は、表示制御部１１３へ出力される。
【００５３】
図７は、本発明における端末と地図サーバとの間のシーケンス図である。
【００５４】
（Ｓ１１）端末１は、地図サーバ２へインデックス取得要求を送信する。
（Ｓ１２）これに対し、地図サーバ２は、端末１へ、分割地図画像のインデックス情報を含むインデックス応答を返信する。インデックス情報は、各分割地図画像における座標点、高さ及び幅を含むタグである。
【００５５】
（Ｓ１３）端末１に対するユーザ操作（例えばスライド、ピンチイン／ピンチアウト）に応じて、ディスプレイの表示範囲に表示すべき分割地図画像が変化する。このとき、端末１の表示制御部１１３によって表示すべきと判定された分割地図画像についてのみ、分割地図画像取得要求を地図サーバ２へ送信する。
（Ｓ１４）これに対し、地図サーバ２は、分割地図画像取得要求に対応する分割地図画像を応答する。端末１は、これら分割地図画像をディスプレイの表示範囲に並べて表示する。
【００５６】
（Ｓ１５）端末１に対する更なるユーザ操作に応じて、ディスプレイの表示範囲に表示すべき分割地図画像が変化する。このとき、端末１は、更なる分割地図画像取得要求を地図サーバ２へ送信する。
（Ｓ１６）これに対し、地図サーバ２は、分割地図画像取得要求に対応する分割地図画像を応答する。端末１は、これら分割地図画像をディスプレイの表示範囲に並べて表示する。
【００５７】
図８は、重畳可能なレイヤで表された分割地図画像の説明図である。
【００５８】
図８によれば、分割地図画像は、同一の地図範囲に対して階層状に複数の分割地図画像から構成される。レイヤ間では、１枚の分割地図画像に１枚の分割地図画像が対応していてもよいし、１枚の分割地図画像に複数（例えば４枚）の分割地図画像が対応していてもよい。図８によれば、レイヤ毎の分割地図画像が、以下のように異なる情報を有する。
レイヤ１：海岸線の地図画像
レイヤ２：道路の地図画像
レイヤ３：建物の地図画像
これら複数のレイヤの分割地図画像を重畳して、１枚の地図画像を表示することができる。
【００５９】
ここで、前述した図３から図５によれば、同一レイヤ上における表示割合に応じて表示／非表示を制御したが、同じ方法で、複数のレイヤを合わせて表示割合に応じて表示／非表示を制御してもよい。分割地図画像選択部１１１は、全ての階層における複数の分割地図画像を選択する。表示判定部１１２は、全ての階層における分割地図画像を合わせて判定する。そして、表示制御部１１３は、異なる階層の分割地図画像を重畳して表示するように制御する。
【００６０】
また、複数のレイヤの中で優先順位を設け、同一の表示割合の分割地図画像であっても、優先的なレイヤの分割地図画像を優先的に表示することもできる。優先度の高い第１のレイヤの分割地図画像と、優先度の低い第２のレイヤの分割地図画像とが、同一の表示割合であったとする。このとき、第１のレイヤの分割地図画像の表示／非表示を判定した後、第２のレイヤの分割地図画像の表示／非表示を判定する。
【００６１】
また、優先順位を設ける他の実施形態として、前述した加算表示割合に応じた表示制御について、優先度の高い第１のレイヤから加算することもできる。表示判定閾値＝１８０％とすると、優先度の高い第１のレイヤで１００％まで加算された後、優先度の低い第２のレイヤで残りの８０％まで加算される。
【００６２】
以上、詳細に説明したように、本発明の表示装置、方法及びプログラムによれば、地図に対する移動や拡大／縮小操作によって、並べて表示すべき分割地図画像の枚数が多くなっても、表示負荷が無用に大きくならないようにすることができる。
【００６３】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６４】
１  表示装置、端末
１０１  ディスプレイ
１０２  通信インタフェース
１１１  分割地図画像選択部
１１２  表示判定部
１１３  表示制御部
１２１  分割地図画像蓄積部
１２２  リクエスト送信部
１２３  レスポンス受信部
２  地図サーバ
【図１】
2014240916.tif 000003
【図２】
2014240916.tif 000004
【図３】
2014240916.tif 000005
【図４】
2014240916.tif 000006
【図５】
2014240916.tif 000007
【図６】
2014240916.tif 000008
【図７】
2014240916.tif 000009
【図８】
2014240916.tif 000010